(57)【要約】【課題】組立作業が容易で、かつ製造コストも低い棚構造および当該棚構造に好適な棚用ブラケットを提供する。【解決方法】支柱１２間に棚板１１を架け渡し、ブラケット２０で棚板を支柱に固定する棚構造１０であって、前記ブラケットは、受け座２２と受け座の下面から一体に垂設した脚片２３から成り、該脚片にハンガーパイプ２１の端部が嵌合する嵌合凹部２６を設け、脚片を支柱にボルト３２で固着し、受け座に棚板をビス３１で固着して両支柱間に架け渡した棚板を固定する。  各支柱間は、一方の支柱に固着したブラケットの嵌合凹部にハンガーパイプの一端を嵌合し、他方の支柱に固着したブラケットの嵌合凹部に該ハンガーパイプの他端を嵌合して架け渡したハンガーパイプによって間隔が保持される。  支柱の基端部にブラケットの脚片をボルトで固着し、このブラケットの受け座をビスで床面に固着して支柱を床面に立設固定する。【選択図】図１
2006043168.tif 000002
【特許請求の範囲】
【請求項１】
支柱間に棚板を架け渡し、ブラケットで棚板を支柱に固定する棚構造であって、前記ブラケットは、受け座と受け座の下面から一体に垂設した脚片から成り、該脚片にハンガーパイプの端部が嵌合する嵌合部が設けられ、脚片を支柱にビス、ボルト等で固着し、受け座に棚板をビス、ボルト等で固着して両支柱間に架け渡した棚板を各支柱に固定し、かつ一方の支柱に固着したブラケットの嵌合部にハンガーパイプの一端を嵌合し、該ハンガーパイプの他端を他方の支柱に固着したブラケットの嵌合部に嵌合して両支柱間にハンガーパイプを架け渡したことを特徴とする棚構造。
【請求項２】
壁面と支柱間に棚板を架け渡し、ブラケットで棚板を壁面と支柱に固定する棚構造であって、前記ブラケットは、受け座と受け座の下面から一体に垂設した脚片から成り、該脚片にハンガーパイプの端部が嵌合する嵌合部が設けられ、一のブラケットの脚片を壁面にビス、ボルト等で固着し、受け座に棚板をビス、ボルト等で固着し、他のブラケットの脚片を支柱にビス、ボルト等で固着し、受け座に棚板をビス、ボルト等で固着して壁面と支柱間に架け渡した棚板を壁面と支柱に固定し、かつ壁面に固着したブラケットの嵌合部にハンガーパイプの一端を嵌合し、該ハンガーパイプの他端を支柱に固着したブラケットの嵌合部に嵌合して壁面と支柱間にハンガーパイプを架け渡したことを特徴とする棚構造。
【請求項３】
前記ブラケットの受け座をビス、ボルト等で床面に固着し、同ブラケットの脚片をビス、ボルト等で支柱の基部に固着して支柱を床面に立設したことを特徴とする請求項１叉は２に記載の棚構造。
【請求項４】
支柱間に架け渡した棚板を支柱に固定する棚用ブラケットであって、棚板がビス、ボルト等で固着される受け座と該受け座の下面から一体に垂設され、ビス、ボルト等で支柱に固着される脚片から成り、該脚片にハンガーパイプの端部が嵌合する嵌合部を設けたことを特徴とする棚用ブラケット。
【発明の詳細な説明】
【技術分野】
【０００１】
本発明は、棚構造及び棚用ブラケットに関し、より詳しくは棚板とハンガーパイプを備えた棚構造及び当該棚構造に好適な棚用ブラケットに関する。
【背景技術】
【０００２】
棚構造の一形式として、特開２００３−２１９９２１号公報には、支柱と支柱の間に棚板やハンガーパイプを架け渡して固定した棚構造が開示されている。
【特許文献１】特開２００３−２１９９２１号
【発明の開示】
【発明が解決しようとする課題】
【０００３】
上記棚構造にあっては、棚板とハンガーパイプを個別に支柱に取り付けているため、棚の組立作業に手間がかかるだけでなく、棚構造の構成部品点数多くなって、製造コストが高くなる。
【０００４】
本発明はかかる問題点に鑑み、組立作業が容易で、かつ製造コストも低い棚構造および当該棚構造に好適な棚用ブラケットを提供することを目的とする。
【課題を解決するための手段】
【０００５】
請求項１に記載の発明は、支柱間に棚板を架け渡し、ブラケットで棚板を支柱に固定する棚構造であって、前記ブラケットは、受け座と受け座の下面から一体に垂設した脚片から成り、該脚片にハンガーパイプの端部が嵌合する嵌合部が設けられ、脚片を支柱にビス、ボルト等で固着し、受け座に棚板をビス、ボルト等で固着して両支柱間に架け渡した棚板を各支柱に固定し、かつ一方の支柱に固着したブラケットの嵌合部にハンガーパイプの一端を嵌合し、該ハンガーパイプの他端を他方の支柱に固着したブラケットの嵌合部に嵌合して両支柱間にハンガーパイプを架け渡したことを特徴とする。
請求項２に記載の発明は、壁面と支柱間に棚板を架け渡し、ブラケットで棚板を壁面と支柱に固定する棚構造であって、前記ブラケットは、受け座と受け座の下面から一体に垂設した脚片から成り、該脚片にハンガーパイプの端部が嵌合する嵌合部が設けられ、一のブラケットの脚片を壁面にビス、ボルト等で固着し、受け座に棚板をビス、ボルト等で固着し、他のブラケットの脚片を支柱にビス、ボルト等で固着し、受け座に棚板をビス、ボルト等で固着して壁面と支柱間に架け渡した棚板を壁面と支柱に固定し、かつ壁面に固着したブラケットの嵌合部にハンガーパイプの一端を嵌合し、該ハンガーパイプの他端を支柱に固着したブラケットの嵌合部に嵌合して壁面と支柱間にハンガーパイプを架け渡したことを特徴とする。
そして、好ましくは前記ブラケットの受け座をビス、ボルト等で床面に固着し、同ブラケットの脚片をビス、ボルト等で支柱の基部に固着して支柱を床面に立設する。
請求項４に記載の発明は、支柱間に架け渡した棚板を支柱に固定する棚用ブラケットであって、棚板がビス、ボルト等で固着される受け座と該受け座の下面から一体に垂設され、ビス、ボルト等で支柱に固着される脚片から成り、該脚片にハンガーパイプの端部が嵌合する嵌合部を設けたことを特徴とする。
【発明の効果】
【０００６】
本発明に係る棚構造及び棚用ブラケットによれば、単一種類のブラケットを用いて、棚板とハンガーパイプの双方を支柱間あるいは支柱と壁面間に架け渡して固定できるだけでなく、支柱を床面に立設固定できる。そのため、組立作業が簡易迅速に実施でき、かつ部品点数も少なくて済むので、棚構造の施工コスト並びに製造コストを低減できる。
【発明を実施するための最良の形態】
【０００７】
支柱間に棚板を架け渡し、ブラケットで棚板を支柱に固定する棚構造であって、前記ブラケットは、受け座と受け座の下面から一体に垂設した脚片から成り、該脚片にハンガーパイプの端部が嵌合する嵌合凹部を設け、脚片を支柱にボルトで固着し、受け座に棚板をビスで固着して両支柱間に架け渡した棚板を各支柱に固定し、一方の支柱に固着したブラケットの嵌合凹部にハンガーパイプの一端を嵌合し、該ハンガーパイプの他端を他方の支柱に固着したブラケットの嵌合凹部に嵌合して両支柱間にハンガーパイプを架け渡す。支柱の基端部にブラケットの脚片をボルトで固着し、このブラケットの受け座をビスで床面に固着して支柱を床面に立設固定する。
【実施例１】
【０００８】
以下に本発明を図面に基づき説明するに、図１及び図２には本発明の一実施形態に係る棚構造１０と棚用ブラケット２０が示されている。当該棚構造１０は棚板１１、支柱１２、棚用ブラケット２０及びハンガーパイプ２１から構成されている。
【０００９】
支柱１２は図３に示すように、断面が長円形の中空構造を有し、アルミ合金の押し出し型材を用いている。支柱１２の表裏各面には２本の平行な縦溝１３が形成され、各縦溝１３には縦の中心線が設けられている。各縦溝１３の底面は肉厚に形成されているので、必要に応じて縦溝１３の底面にネジ穴１４を形成することができる。縦溝１３の中心線はネジ穴１４を形成する際の加工位置の目安となるもので、ネジ穴１４はその中心が中心線上に位置するように加工される。支柱１２の上端部と中間部には棚板１１の端部が嵌合する切欠部１５が形成されている。
【００１０】
棚用ブラケット２０はアルミ合金の鋳造品が用いられ、平面形状が長円形の受け座２２と、受け座２２から垂設した脚片２３を備え、受け座２２と脚片２３は一体に設けられている。受け座２２には左右両端に各１個のネジ穴２４が設けられている。脚片２３の上部には左右各一個の長穴２５が設けられ、中間部には縦長円形の嵌合凹部２６が設けられている。
【００１１】
ハンガーパイプ２１は長円形の断面形状と嵌合凹部２６に嵌合する外形寸法を有し、アルミ合金の押し出し型材を使用している。
【００１２】
各支柱１２は、棚用ブラケット２０の受け座２２をビス３１で床面に固定し、このブラケット２０の脚片２３に支柱１２基端部を固定することにより、床面に立設される。受け座２２の固定に用いるビス３１は受け座２２のネジ穴２４の径より小径のものを使用する。支柱１２の基端部には予め所定位置にボルト３２をねじ込むためのネジ穴１４ａを設ける。
【００１３】
床面に立設固定した支柱１２の中間部に棚用ブラケット２０の脚片２３をボルト３２で固着する。支柱１２には予めブラケット２０の固着位置にボルト３２をねじ込むためのネジ穴１４ｂを設けておく。一方の支柱１２の中間部に棚用ブラケット２０を固着した後、対向する支柱１２の中間部にブラケット２０を固着する前に、嵌合凹部２６へハンガーパイプ２１の端部を嵌合し、両支柱１２の中間部間にハンガーパイプ２１を架け渡して固定する。
次ぎに、支柱１２の中間部に設けた切欠部１５に棚板１１の一端を嵌合し、ビス３１で棚板１１をブラケット２０の受け座２２に固着する。同様にして支柱１２の上端部に棚用ブラケット２０を固定し、ブラケット２０の嵌合凹部２６にハンガーパイプ２１を嵌合し、支柱１２の上端部の切欠部１５に棚板１１の端部を嵌合し、ビス３１でブラケット２０の受け座２２に固着する。
【実施例２】
【００１４】
本発明の他の実施形態に係る棚構造１０Ａを図４に示す。当該棚構造１０Ａでは棚板１１が壁面３５と支柱１２の間に架け渡されている。支柱１２は基端部を棚用ブラケット２０で床面に固定して立設されている。壁面３５には棚用ブラケット２０の脚片２３をボルト３２で固着し、このブラケット２０の受け座２２に棚板１１の壁面側端部を載置してビス３１で固着されている。棚板１１の中間部は、支柱１２の上端部に脚片２３をボルト３２で固着したブラケット２０の受け座２２にビス３１で固着されている。ハンガーパイプ２１は壁面３５に固着したブラケット２０と支柱１２に固着したブラケット２０の嵌合凹部２６に端部を嵌合して壁面３５と支柱１２間に架け渡されている。
【００１５】
実施例１及び実施例２に係る棚構造１０，１０Ａ及び棚用ブラケット２０によれば、単一種類の棚用ブラケット２０を用いて、棚板１１とハンガーパイプ２１の双方を支柱１２間あるいは支柱１２と壁面３５間に架け渡して固定したり、支柱１２を床面に立設固定できる。そのため、組立作業が簡易迅速に実施でき、かつ部品点数も少なくて済むので、棚構造１０の施工コスト並びに製造コストを低減できる。
【図面の簡単な説明】
【００１６】
【図１】本発明の実施例１に係る棚構造及び棚用ブラケットを示す斜視図である。
【図２】本発明の実施例１に係る棚構造及び棚用ブラケットを示す正面図である。
【図３】本発明の実施例１に係る棚構造及び棚用ブラケットの支柱とブラケットを示す平面図である。
【図４】本発明の実施例２に係る棚構造及び棚用ブラケットを示す正面図である。
【符号の説明】
【００１７】
１０…棚構造、１０Ａ…実施例２の棚構造、１１…棚板、１２…支柱、１３…縦溝、１４…支柱のネジ穴、１５…切欠部、
２０…棚用ブラケット、２１…ハンガーパイプ、２２…受け座、２３…脚片、２４…ブラケットのネジ穴、２５…長穴、２６…嵌合凹部、
３１…ビス、３２…ボルト、
３５…壁面。
【図１】
2006043168.tif 000003
【図２】
2006043168.tif 000004
【図３】
2006043168.tif 000005
【図４】
2006043168.tif 000006